(57)【要約】      （修正有）【課題】スキャンデバイス及びそのイメージスキャン方法を提供する。【解決手段】スキャンデバイス及びそのイメージスキャン方法において、イメージスキャン方法は、カードをスキャンする前にスキャン通路内の背景数値が所定値と符合するかどうかを判断しＡ２、符合する場合はステップＡ５へ。符合しない場合、カードの一Ｙ距離の移動を行うＡ３。ステップＡ４では背景数値が所定値と符合するかどうかを判断し、所定値と符合するなら検査を停止しイメージ較正を行いＡ５、スキャンを開始しスキャンを完成させるＡ６。ステップＡ４で符合しないなら、カードの移動距離或いは累積したカードの移動距離が所定の移動距離を超過したかどうかを検査しＡ８、所定の移動距離を超過していないならステップＡ３を再執行し、そうでないならカードの詰まりを表示するＡ９。【選択図】図９
2018182486.tif 000002
【特許請求の範囲】
【請求項１】
スキャンデバイスであって、カードに対してスキャンが行え、底台、上蓋、下イメージ感知パーツ、上イメージ感知パーツ、少なくとも１個のモーター、２組のローラー、カード感知パーツを有し、
前記底台は、上表面の中央部に、下凹槽を開設し、
前記上蓋は、底台上に枢接され、前記上蓋下表面の中央部には、下凹槽位置に対応して上凹槽を開設し、
前記下イメージ感知パーツは、下凹槽内に設置され、
前記上イメージ感知パーツは、上凹槽内に設置され、
前記上蓋と前記底台の間の、上イメージ感知パーツと下イメージ感知パーツの前方には、第一通路を形成し、
前記上イメージ感知パーツと前記下イメージ感知パーツの間には、スキャン通路を形成し、
前記上蓋と前記底台の間の、上イメージ感知パーツと下イメージ感知パーツの後方には、外と通じる第二通路を形成し、
第一通路、スキャン通路と第二通路は相互に連通し、スキャン通路内には、スキャン読み取り線を設置し、
前記少なくとも１個のモーターは、底台上に設置され、
前記２組のローラーの内の１組のローラーは、底台に設置され、第一通路に進入し、もう１組のローラーは、底台上に設置され、第二通路に進入し、前記２組のローラーは共に、モーターと連接し、モーターにより正回転と反回転を駆動され、
前記カード感知パーツは、第一通路内に設置されることを特徴とするスキャンデバイス。
【請求項２】
請求項１に記載のスキャンデバイス上に用いられるイメージスキャン方法は、以下のステップを含み、
ステップＡ１では、スキャン通路内にカードがない時の背景数値を記録し、これを所定値とし、検査の基準範囲とし、
ステップＡ２では、カードのスキャンを行う前に、上イメージ感知パーツと下イメージ感知パーツは、スキャン通路内の背景数値が所定値と符合するかどうかを判断し、所定値と符合するなら、ステップＡ５を執行し、スキャン通路内の背景数値と所定値とが符合しないなら、ステップを執行し、
ステップＡ３では、ローラー組は回転し、カードを連動して一Ｙ距離の移動を行わせ、Ａ４を執行し、
ステップＡ４では、上イメージ感知パーツと下イメージ感知パーツでは、スキャン通路内の背景数値が、所定値と符合するかどうかを判断し、所定値と符合するなら、すでにカードがスキャン通路から離れているということで、所定値と符合するなら、ステップＡ５を執行し、スキャン通路内の背景数値と所定値とが符合しないなら、ステップを執行し、
ステップＡ８では、移動距離を設定し、カードの移動距離、或いは累積したカードの移動距離が所定の移動距離を超過したかどうかを検査し、所定の移動距離を超過していないなら、ステップＡ３を再度執行し、所定の移動距離を超過しているなら、ステップＡ９を執行し、
ステップＡ９では、カードの詰まりを表示し、
ステップＡ５では、検査を停止し、イメージ較正を行い、Ａ６を執行し、
ステップＡ６では、スキャンを開始し、スキャンが完成したら、Ａ７を執行し、
ステップＡ７では、スキャンを終了し、カードをイジェクトすることを特徴とする請求項１に記載のスキャンデバイス上に用いられるイメージスキャン方法。
【請求項３】
前記ステップＡ１中では、スキャン通路内に、カードがない時の背景数値を記録し、出荷前に取得、或いはスキャンデバイスのスタートアップ後に取得することを特徴とする請求項２に記載のイメージスキャン方法。
【請求項４】
前記ステップＡ１とＡ２はさらに、以下のステップを含み、
ステップＳ１では、スキャンデバイスのスタートアップ後に、スキャン指令を待ち、
スキャン指令があるなら、ステップＳ２を執行し、スキャン指令がないなら、待機を継続し、
ステップＳ２では、カード感知パーツはカード感知を行い、カード感知パーツがカードを感知しなければ、ステップを執行し、カード感知パーツがカードを感知すれば、ステップＡ２を執行し、
ステップＳ３では、カードがないという提示シグナルを表示することを特徴とする請求項２に記載のイメージスキャン方法。
【請求項５】
前記ステップＳ３とＡ２の間にはさらに、ステップＳ４を含み、
カード感知パーツが、カードがあると感知すると、２組のローラーはカードを連動し第二通路へと一Ｘ距離の移動を行わせ、これによりカードの後端は第二通路内へ移動し、ステップＳ４の執行完了後にステップＡ２を執行することを特徴とする請求項４に記載のイメージスキャン方法。
【請求項６】
前記スキャン通路内にカードがない時の背景数値の所定値の最大値はＢ１で、その最小値はＣ１で、
ステップＡ２とＡ４の上イメージ感知パーツと下イメージ感知パーツは、スキャン通路内の背景数値が所定値と符合するかどうかを判断し、以下のステップを採用し、
ステップＳ７−１では、先に取得した背景数値の最大値と所定値の最大値とを比較し、先に取得した背景数値の最大値をＢ２と定義し、先に取得した背景数値の最小値をＣ２と定義し、Ｂ２とＢ１を比較し、Ｂ２＞Ｂ１ならステップＡ３（ステップＡ２に対応）或いはステップＡ８（ステップＡ４に対応）を執行し、反対ならステップＳ７−２を執行し、
ステップＳ７−２では、Ｃ２とＣ１を比較し、Ｃ２＜Ｃ１ならステップＡ３（ステップＡ２に対応）或いはステップＡ８（ステップＡ４に対応）を執行し、反対ならステップＡ５を執行することを特徴とする請求項２に記載のイメージスキャン方法。
【請求項７】
前記スキャン通路内にカードがない時の背景数値の所定値の最大値はＢ１で、その最小値はＳ１で、ステップＡ２とＡ４の上イメージ感知パーツと下イメージ感知パーツは、スキャン通路内の背景数値が所定値と符合するかどうかを判断し、以下のステップを採用し、
ステップＳ８−１では、先に取得した背景数値の最大値と所定値の最大値とを比較し、先に取得した背景数値の最大値をＢ２と定義し、先に取得した背景数値の最小値をＣ２と定義し、Ｃ２とＣ１を比較し、Ｃ２＜Ｃ１ならステップＡ３（ステップＡ２に対応）或いはステップＡ８（ステップＡ４に対応）を執行し、反対ならステップＳ８−２を執行し、
ステップＳ８−２では、Ｂ２とＢ１を比較し、Ｂ２＞Ｂ１ならステップＡ３（ステップＡ２に対応）或いはステップＡ８（ステップＡ４に対応）を執行し、反対ならステップＡ５を執行することを特徴とする請求項２に記載のイメージスキャン方法。
【請求項８】
前記Ｙ距離は１ＭＭであることを特徴とする請求項２に記載のイメージスキャン方法。
【請求項９】
前記所定の移動距離は１０ＭＭであることを特徴とする請求項２に記載のイメージスキャン方法。
【発明の詳細な説明】
【技術分野】
【０００１】
本発明はスキャンデバイス及びそのイメージスキャン方法に関し、特に製造コストが低く、スキャンの質が高いスキャンデバイス及びそのイメージスキャン方法に関する。
【背景技術】
【０００２】
図１〜図３に示す通り、従来の第一種のカード２００’に対してスキャンを行うスキャンデバイス１００’は、底台１０’、底台１０’上に蓋をする上蓋２０’、第一ローラー１１’、第二ローラー１２’、下イメージ感知パーツ１３、上イメージ感知パーツ２１’、モーター（図示なし）を有する。
上蓋２０’下表面の中央部には、横方向延伸を呈する上凹槽２２’を開設し、下蓋１０’上表面の中央部には、横方向延伸を呈する下凹槽１４’を開設する。
上イメージ感知パーツ２１’と下イメージ感知パーツ１３’とは、それぞれ相対するように凹槽２２’と下凹槽１４’内に設置する。
上蓋２０’は、底台１０’上に蓋をした後、上蓋２０’と底台１０’の間の、上イメージ感知パーツ２１’と下イメージ感知パーツ１３’の前方には、第一通路３０’を形成し、上イメージ感知パーツ２１’と下イメージ感知パーツ１３’の間には、スキャン通路４０’を形成し、上蓋２０’と底台１０’の間の、上イメージ感知パーツ２１’と下イメージ感知パーツ１３’の後方には、外と通じる第二通路５０’を形成する。
第一ローラー１１’は、底台１０’上に設置され、第一通路３０’に進入し、第二ローラー１２’は、底台１０’上に設置され、第二通路５０’に進入する。
第一ローラー１１’と第二ローラー１２’のローラーはどれもモーターと連接し、モーターにより正回転と反回転を駆動される。
第一通路３０’、スキャン通路４０’と第二通路５０’は相互に連通する。
第一通路３０’内には、第一センサー６０’を設置する。
第二通路５０’内には、第二ローラー１２’の中心線１２１’の前方に位置する第二センサー７０’を設置する。
スキャン通路４０’内には、スキャン読み取り線４１’を設置する。
第一センサー６０’はこれにより、第一通路３０’内にスキャンを待つカード２００’があるかないかを探知し、第二センサー７０’はこれにより、スキャンを待つカード２００’のスタート位置を探知する。
【０００３】
従来のスキャンデバイス１００’の作動プロセスは、以下の通りである。
カード２００’を第一通路３０’に挿入する。
第一センサー６０’は、第一通路３０’内にスキャンを待つカード２００’があることを探知後、第一ローラー１１’と第二ローラー１２’は正回転し、カード２００’を連動して後方へと送り込む。
カード２００’は、スキャン通路４０’を通過し、カード２００’の後端縁を経て第二通路５０’に到達する。
カード２００’の後端縁は、第二ローラー１２’の中心線１２１’と第二センサー７０’の間に位置し、スキャン読み取り線４１’と一定の距離を保持する。
第一ローラー１１’と第二ローラー１２’は正回転を停止し、カード２００’は停止位置に位置する。
所定時間後、第一ローラー１１’と第二ローラー１２’とは反回転し、カード２００’を連動して前方へと送り込む。
カード２００’が第二センサー７０’に接触後、スキャンデバイス１００’はスキャンを行う。
カード２００’はスキャンが完成するまで前方へと送り込みを続け、スキャン完成後、カード２００’は第一通路３０’から送り出される。
【０００４】
しかし、カード２００’を後方へと送り込む時、送り込みの歪みが発生しやすく、カード２００’のスキャン前に、カード２００’が停止位置にある時、カード２００’の局部がスキャン読み取り線４１’を遮蔽してしまう。
また、カード２００’は第二ローラー１２’が滑ることで、カード２００’が停止位置にある時、スキャン読み取り線４１’を遮蔽してしまう恐れもある。
こうして、スキャンの過程において、カード２００’の一部がスキャンされず、スキャンが不完全になる可能性がある。
さらに、従来のスキャンデバイス１００’は、２個のセンサーを設置する必要があるため、コストが比較的高い。
【０００５】
図３と図４に示す通り、従来の第二種のカード２００’に対してスキャンを行うスキャンデバイス３００’は、第一種の従来のスキャンデバイス１００’に相対して、スキャン方式ではカード２００’は第一通路３０’から送り込まれる。
スキャン通路４０’を経てスキャン後、第二通路５０’から送り出される。
それは、第二通路２０’内に第二センサー７０’を設置する必要がなく、第一通路３０’内に第一センサー６０’を設置するだけで良い。
カード２００’が第一通路３０’に挿入され、第一センサー６０’がカード２００’の存在を感知すると、スキャンを開始する。
この種のスキャンデバイス３００’はカード２００’の挿入時、カード２００’の前端は、イメージ読み取り線４１’を超過しやすい。
こうして、スキャンの際に、カード２００’前端の、イメージ読み取り線４１’を超過した部分は、スキャンされず、カード２００’のスキャンは不完全となってしまう。
【発明の概要】
【発明が解決しようとする課題】
【０００６】
前記先行技術には種々の欠点があり、製造コストが低くスキャンの質が高いスキャンデバイス及びそのスキャン方法の開発が待たれている。
【課題を解決するための手段】
【０００７】
本発明は製造コストが低くスキャンの質が高いスキャンデバイス及びそのスキャン方法に関する。
【０００８】
本発明によるスキャンデバイスは、カードに対してスキャンが行え、底台、上蓋、下イメージ感知パーツ、上イメージ感知パーツ、少なくとも１個のモーター、２組のローラー、カード感知パーツを有する。
該底台上表面の中央部には、下凹槽を開設する。
該上蓋は、底台上に枢接され、該上蓋下表面の中央部には、下凹槽位置に対応して上凹槽を開設する。
該下イメージ感知パーツは、下凹槽内に設置される。
該上イメージ感知パーツは、上凹槽内に設置される。
該上蓋は、底台上に枢接され、上蓋で底台上に蓋をした後、上蓋と底台の間、上イメージ感知パーツと下イメージ感知パーツの前方には、第一通路を形成する。
上イメージ感知パーツと下イメージ感知パーツの間には、スキャン通路を形成する。
上蓋と底台の間の、上イメージ感知パーツと下イメージ感知パーツの後方には、外と通じる第二通路を形成する。
第一通路、スキャン通路と第二通路は相互に連通し、スキャン通路内には、スキャン読み取り線を設置し、モーターは、底台上に設置される。
２組のローラーの内の１組のローラーは、底台に設置され、第一通路に進入する。
もう１組のローラーは、底台上に設置され、第二通路に進入する。
２組のローラーは共に、モーターと連接し、モーターにより正回転と反回転を駆動される。
該カード感知パーツは、第一通路内に設置される。
【０００９】
本発明によるスキャンデバイス上に適用されるイメージスキャン方法は、カードに対してスキャンが行え、該スキャンデバイスは、底台、上蓋、下イメージ感知パーツ、上イメージ感知パーツ、少なくとも１個のモーター、２組のローラー、カード感知パーツを有する。
該底台上表面の中央部には、下凹槽を開設する。
該上蓋は、底台上に枢接され、該上蓋下表面の中央部には、下凹槽位置に対応して上凹槽を開設する。
該下イメージ感知パーツは、下凹槽内に設置される。
該上イメージ感知パーツは、上凹槽内に設置される。
該上蓋は、底台上に枢接され、上蓋で底台上に蓋をした後、上蓋と底台の間、上イメージ感知パーツと下イメージ感知パーツの前方には、第一通路を形成する。
上イメージ感知パーツと下イメージ感知パーツの間には、スキャン通路を形成する。
上蓋と底台の間の、上イメージ感知パーツと下イメージ感知パーツの後方には、外と通じる第二通路を形成する。
第一通路、スキャン通路と第二通路は相互に連通し、スキャン通路内には、スキャン読み取り線を設置する。
【００１０】
該モーターは、底台上に設置される。
該２組のローラーの内の１組のローラーは、底台に設置され、第一通路に進入する。
もう１組のローラーは、底台上に設置され、第二通路に進入する。
２組のローラーは共に、モーターと連接し、モーターにより正回転と反回転を駆動される。
カード感知パーツは、第一通路内に設置される。
該イメージスキャン方法は、以下のステップを含む。
ステップＡ１では、スキャン通路内にカードがない時の背景数値を記録し、これを所定値とし、検査の基準範囲とする。
ステップＡ２では、カードのスキャンを行う前に、上イメージ感知パーツと下イメージ感知パーツは、スキャン通路内の背景数値が所定値と符合するかどうかを判断する。
所定値と符合するなら、ステップＡ５を執行し、スキャン通路内の背景数値と所定値とが符合しないなら、ステップＡ３を執行する。
ステップＡ３では、ローラー組は回転し、カードを連動して一Ｙ距離の移動を行わせる。
ステップＡ４では、上イメージ感知パーツと下イメージ感知パーツでは、スキャン通路内の背景数値が、所定値と符合するかどうかを判断する。
所定値と符合するなら、すでにカードがスキャン通路から離れているということで、所定値と符合するなら、ステップＡ５を執行する。
スキャン通路内の背景数値と所定値とが符合しないなら、ステップＡ８を執行する。
ステップＡ８では、移動距離を設定し、カードの移動距離、或いは累積したカードの移動距離が所定の移動距離を超過したかどうかを検査する。
所定の移動距離を超過していないなら、ステップＡ３を再度執行し、所定の移動距離を超過しているなら、ステップＡ９を執行する。
ステップＡ９では、カードの詰まりを表示する。
ステップＡ５では、検査を停止し、イメージ較正を行い、Ａ６を執行する。
ステップＡ６では、スキャンを開始し、スキャンが完成したら、Ａ７を執行する。
ステップＡ７では、スキャンを終了し、カードをイジェクトする。
【発明の効果】
【００１１】
上記を総合すると、本発明によるスキャンデバイス及びそのイメージスキャン方法において、下イメージ感知パーツと上イメージ感知パーツにより、スキャン通路内の背景数値が所定値と符合するかどうかを感知し、スキャン通路内にカードがあるかどうかを感知する。スキャン通路内にカードがあると、シグナルをモーターに発送し、モーターは２組のローラーの回転を制御し、カードをスキャン通路から持ち出す。
こうして、スキャン前には、カードはスキャン通路内に進入することはなく、カードはスキャン読み取り線を遮蔽せず、スキャンが完全となり、スキャンの質が高くなる。
本発明によるスキャンデバイス及びそのイメージスキャン方法においては、１個のカード感知パーツを設置するだけでよいため、第一種の従来の技術のスキャンデバイスに比べ、製造コストを引き下げることができ、第二種の従来の技術のスキャンデバイスに比べ、そのスキャンの質はより高くなる。
【図面の簡単な説明】
【００１２】
【図１】第一種の従来の技術のスキャンデバイスの断面模式図である。
【図２】図１に示すスキャンデバイスの上蓋のない立体図である。
【図３】図２に示すスキャンデバイスにおいて、スキャン前にカードが第二通路に停留している時の模式図である。
【図４】第二種の従来の技術のスキャンデバイスにおいて、カードを挿入しスキャンを準備する前の模式図である。
【図５】本発明によるスキャンデバイスの一実施形態の断面模式図である。
【図６】図５に示す本発明によるスキャンデバイスの上蓋のない立体図である。
【図７】図６に示す本発明によるスキャンデバイスにおいて、スキャン前にカードが第二通路に停留している時の模式図である。
【図８】本発明によるスキャンデバイスの第二種実施形態において、カードを挿入しスキャンを準備する前の模式図である。
【図９】本発明によるスキャンデバイスのイメージスキャン方法において、スキャンのフローチャートである。
【図１０】本発明によるスキャンデバイスの第一種実施形態のイメージスキャン方法において、スキャンのフローチャートである。
【図１１】本発明によるスキャンデバイスの第二種実施形態のイメージスキャン方法において、スキャンのフローチャートである。
【図１２】本発明によるスキャンデバイス及びそのイメージスキャン方法において、ステップＡ２とステップＡ４で、上イメージ感知パーツと下イメージ感知パーツが、スキャン通路内の背景数値が、所定値と合致するかどうかを判断する際に採用する第一種実施形態のフローチャートである。
【図１３】本発明によるスキャンデバイス及びそのイメージスキャン方法において、ステップＡ２とステップＡ４で、上イメージ感知パーツと下イメージ感知パーツが、スキャン通路内の背景数値が、所定値と合致するかどうかを判断する際に採用する第二種実施形態のフローチャートである。
【発明を実施するための形態】
【００１３】
（一実施形態）
図５と図６に示す通り、本発明によるスキャンデバイス１００は、底台１０、底台１０上に蓋をする上蓋２０、２組のローラー３０、下イメージ感知パーツ４０、上イメージ感知パーツ５０、カードセンサー６０、モーター（図示なし）を有する。
【００１４】
図５〜図７に示す通り、底台１０上表面の中央部には、横方向延伸を呈する下凹槽１１を開設する。
上蓋２０下表面の中央部には、横方向延伸を呈する上凹槽２１を対応して開設する。
下イメージ感知パーツ４０と上イメージ感知パーツ５０は、それぞれ相対するように下凹槽１１と上凹槽２１内に設置される。
上蓋２０で底台１０上に蓋をした後、上蓋２０と底台１０の間の、上イメージ感知パーツ５０と下イメージ感知パーツ４０の前方には、第一通路７１を形成する。
上イメージ感知パーツ５０と下イメージ感知パーツ４０の間には、スキャン通路７２を形成する。
上蓋２０と底台１０の間の、上イメージ感知パーツ５０と下イメージ感知パーツ４０の後方には、外と通じる第二通路７３を形成する。
２組のローラー３０の内の１組のローラーは、底台１０に設置され、第一通路７１に進入する。
もう１組のローラーは、底台１０上に設置され、第二通路７３に進入する。
２組のローラー３０は共に、モーターと連接し、モーターにより正回転と反回転を駆動される。
底台１０上に設置され第一通路７１内に進入するローラーを、第一ローラー３１と定義する。
底台１０上に設置され、第二通路７３内に進入するローラーを、第二ローラー３２と定義する。
第一通路７１、スキャン通路７２と第二通路７３は相互に連通し、カードセンサー６０は、第一通路７１内に設置される。
スキャン通路７２内には、スキャン読み取り線７４を設置し、カードセンサー６０は、第一通路７１内にスキャンを待つカード２００があるかないかを探知する。
【００１５】
図５〜図７に示す通り、本発明によるスキャンデバイス１００は、２種の実施形態を有する。
第一種実施形態のスキャンデバイスでは、カード２００は第一通路７１から挿入され、第一ローラー３１と第二ローラー３２が正回転してカード２００を連動し、スキャン通路７２を通って、カード２００の後端が第二通路７３へ進入するまで、第二通路７３へ進入する。
カード２００の後端とスキャン読み取り線７４は、一定の距離を保持する。
続いて、第一ローラー３１と第二ローラー３２は反回転し、カード２００を連動し、スキャン通路７３を通過して、スキャンを行い、第一通路７１から送り出す。
【００１６】
図８に示す通り、第二種実施形態のスキャンデバイスでは、カード２００は第一通路７１から進入し、第一ローラー３１と第二ローラー３２は正回転してカード２００を連動し、スキャン通路７２を通過して、カード２００をスキャンし、第二通路７３から送り出す。
【００１７】
図５、図７、図９に示す通り、本発明によるスキャンデバイス１００を使用してスキャンを行うイメージスキャン方法は、以下のステップを含む。
ステップＡ１では、スキャン通路７２内にカード２００がない時の背景数値を記録し、これを所定値とし、検査の基準範囲とする。
ステップＡ２では、カード２００のスキャンを行う前に、上イメージ感知パーツ５０と下イメージ感知パーツ４０は、スキャン通路７２内の背景数値が所定値と符合するかどうかを判断する。
所定値と符合するなら、ステップＡ５を執行し、スキャン通路７２内の背景数値と所定値とが符合しないなら、ステップＡ３を執行する（所定値と符合するなら、カード２００がスキャン通路７２内に停留していないということで、符合しないなら、カード２００が停留している、或いはスキャン通路７２内に進入したということである）。
ステップＡ３では、ローラー組３０は回転し、カード２００を連動して一Ｙ距離の移動を行わせ、Ａ４を執行する。
ステップＡ４では、上イメージ感知パーツ５０と下イメージ感知パーツ４０では、スキャン通路７２内の背景数値が、所定値と符合するかどうかを判断する。
所定値と符合するなら、すでにカード２００がスキャン通路７２から離れているということで、所定値と符合するなら、ステップＡ５を執行する。
スキャン通路７２内の背景数値と所定値とが符合しないなら、ステップＡ８を執行する。
ステップＡ８では、移動距離を設定し、累積したカード２００の移動距離が所定の移動距離を超過したかどうかを検査する。
所定の移動距離を超過していないなら、ステップＡ３を再度執行し、所定の移動距離を超過しているなら、ステップＡ９を執行する。
ステップＡ９では、カード２００の詰まりを表示する。
ステップＡ５では、検査を停止し、イメージ較正を行い、Ａ６を執行する。
ステップＡ６では、スキャンを開始し、スキャンが完成したら、Ａ７を執行する。
ステップＡ７では、スキャンを終了し、カード２００をイジェクトする。
ステップＡ１中では、スキャン通路７２内に、カード２００がない時の背景数値を記録し、出荷前に取得、或いはスキャンデバイスのスタートアップ後に取得する。
スキャン通路７２内にカード２００がない時の背景数値の所定値の最大値をＢ１とし、その最小値をＣ１と定義する。
【００１８】
図５、図７、図１１に示す通り、ステップＡ１とＡ２はさらに、以下のステップを含む。
ステップＳ１では、スキャンデバイス１００のスタートアップ後に、スキャン指令を待つ（使用者が使用時に触発する）。
スキャン指令があるなら、ステップＳ２を執行し、スキャン指令がないなら、待機を継続する。
ステップＳ２では、カード感知パーツ６０はカード感知を行う。
カード感知パーツ６０がカード２００を感知しなければ、ステップＳ３を執行し、カード感知パーツ６０がカード２００を感知すれば、ステップＡ２を執行する。
ステップＳ３では、カードがないという提示シグナルを表示する。
【００１９】
図５と図１０に示す通り、第一種実施形態は、カード２００は第一通路７１から進入し、第一通路７１から送り出されるスキャンデバイスである。
そのステップＳ３とＡ２の間には、ステップＳ４をさらに含む。
カード感知パーツ６０が、カード２００があると感知すると、２組のローラー３０はカード２００を連動し第二通路７３へと一Ｘ距離の移動を行わせ、これによりカード２００の後端は第二通路７３内へと移動し、ステップＳ４を完了後、ステップＡ２を執行する。
【００２０】
図５と図１２に示す通り、ステップＡ２とステップＡ４中では、上イメージ感知パーツ５０と下イメージ感知パーツ４０は、スキャン通路７２内の背景数値が、所定値と符合するかを判断し、採用する第一種実施形態は、以下のステップを有する。
ステップＳ７−１では、先に取得した背景数値の最大値と所定値の最大値とを比較し、先に取得した背景数値の最大値をＢ２と定義し、先に取得した背景数値の最小値をＣ２と定義し、Ｂ２とＢ１を比較する。
Ｂ２＞Ｂ１なら、ステップＡ３或いはステップＡ８を執行し（それぞれ対応するステップＡ２とステップＡ４）、反対なら、ステップＳ７−２を執行する。
ステップＳ７−２では、Ｃ２とＣ１を比較し、Ｃ２＜Ｃ１なら、ステップＡ３或いはステップＡ８を執行し（それぞれ対応するステップＡ２とステップＡ４）、反対ならステップＡ５を執行する。
【００２１】
図５と図１３に示す通り、Ａ２とＡ４ステップ中で上イメージ感知パーツ５０と下イメージ感知パーツ４０は、スキャン通路７２内の背景数値が所定値と符合するかどうかを判断し、採用する第二種実施形態は、以下のステップを有する。
ステップＳ８−１では、先に取得した背景数値の最大値と所定値の最大値とを比較し、先に取得した背景数値の最大値をＢ２と定義し、先に取得した背景数値の最小値をＣ２と定義する。
Ｃ２とＣ１を比較し、Ｃ２＜Ｃ１なら、ステップＡ３或いはステップＡ８を執行し（それぞれ対応するステップＡ２とステップＡ４）、反対ならステップＳ８−２を執行する。
ステップＳ８−２では、Ｂ２とＢ１を比較し、Ｂ２＞Ｂ１なら、ステップＡ３或いはステップＡ８を執行し（それぞれ対応するステップＡ２とステップＡ４）、反対ならステップＡ５を執行する。
【００２２】
図５、図７、図８、図１０、図１１に示す通り、Ｙ距離は１ＭＭで、所定の移動距離は１０ＭＭで、Ａ３ステップを１０回繰り返す
本発明によるスキャンデバイス１００の第一種実施形態のスキャン方法と本発明によるスキャンデバイス１００の第二種実施形態のスキャン方法の違いは、以下の通りである。
第一種実施形態のスキャン方法は、第二種実施形態のスキャン方法に比べ、ステップＳ４が多い。
第一種実施形態は、スキャンを行う前に、２組のローラー３０はカード２００を連動して、第二通路７３へと一Ｘ距離の移動を行わせ、これによりカード２００の後端は第二通路７３内に移動する。
第二種実施形態のスキャンデバイスは、このステップがなく、スキャンを行う前は、カード２００は第一通路７１に停留している。
Ｙ距離の移動を行う時には、第一種実施形態は第二ローラー３２がカード２００の前方移動を連動し調整を行い、第二種実施形態では第一ローラー３１がカード２００の後方移動を連動し調整を行う。
【００２３】
上記を総合すると、本発明によるスキャンデバイス１００及びそのイメージスキャン方法は、下イメージ感知パーツ４０と上イメージ感知パーツ５０により、スキャン通路７２内の背景数値が所定値と符合するかどうかを感知し、スキャン通路７２内にカード２００があるかどうかを感知する。
スキャン通路７２内にカード２００があると、シグナルをモーターに発送し、モーターは２組のローラー３０の回転を制御し、カード２００をスキャン通路７２から持ち出す。
こうして、スキャン前には、カード２００はスキャン通路７２内に進入することはなく、カード２００はスキャン読み取り線７４を遮蔽せず、スキャンが完全となり、スキャンの質が高くなる。
本発明によるスキャンデバイスは、１個のカード感知パーツ６０を設置するだけでよいため、第一種の従来の技術のスキャンデバイスに比べ、製造コストを引き下げることができ、第二種の従来の技術のスキャンデバイスに比べ、そのスキャンの質はより高くなる。
【符号の説明】
【００２４】
１００  スキャンデバイス
１０  底台
１１  下凹槽
２０  上蓋
２１  上凹槽
３０  ローラー
３１  第一ローラー
３２  第二ローラー
４０  下イメージ感知パーツ
５０  上イメージ感知パーツ
６０  カードセンサー
７１  第一通路
７２  スキャン通路
７３  第二通路
７４  スキャン読み取り線
２００  カード
【図１】
2018182486.tif 000003
【図２】
2018182486.tif 000004
【図３】
2018182486.tif 000005
【図４】
2018182486.tif 000006
【図５】
2018182486.tif 000007
【図６】
2018182486.tif 000008
【図７】
2018182486.tif 000009
【図８】
2018182486.tif 000010
【図９】
2018182486.tif 000011
【図１０】
2018182486.tif 000012
【図１１】
2018182486.tif 000013
【図１２】
2018182486.tif 000014
【図１３】
2018182486.tif 000015